【手続補正書】
【提出日】平成27年6月15日(2015.6.15)
【手続補正１】
【補正対象書類名】特許請求の範囲
【補正対象項目名】全文
【補正方法】変更
【補正の内容】
【特許請求の範囲】
【請求項１】
光透過性を有する基材と、前記基材の一面に形成された複数の遮光層と、前記基材の一面のうち前記遮光層の形成領域以外の領域に形成された光拡散部と、を含み、
前記光拡散部が、前記基材に接する光射出端面と、前記光射出端面に対向し、前記光射出端面の面積よりも大きい面積を有する光入射端面と、前記光射出端面と前記光入射端面とに接し、前記光入射端面から入射した光を反射する反射面と、を有し、
前記光拡散部の前記光入射端面から前記光射出端面までの高さが前記遮光層の層厚よりも大きくなっており、
強散乱方位φ０を中心軸として、方位φ０＋Δφにおける散乱強度と、方位φ０−Δφにおける散乱強度と、が概ね等しく、
前記複数の遮光層は、
前記中心軸に対して直交する長軸を有する複数の第１遮光層と、
前記第１遮光層とは異なるとともに、前記中心軸に対して＋αの角度をなす長軸を有する複数の第２遮光層と、
前記第１遮光層及び前記第２遮光層とは異なるとともに、前記中心軸に対して−αの角度をなす長軸を有する複数の第３遮光層と、を含み、
前記第２遮光層の形状及び大きさと前記第３遮光層の形状及び大きさとが概ね同じであり、
前記第２遮光層の数と前記第３遮光層の数とが概ね同じである光拡散部材。
【請求項２】
前記αが、０°より大きく９０°より小さい角度をなす請求項１に記載の光拡散部材。
【請求項３】
光透過性を有する基材と、前記基材の一面に形成された複数の遮光層と、前記基材の一面のうち前記遮光層の形成領域以外の領域に形成された光拡散部と、を含み、
前記光拡散部が、前記基材に接する光射出端面と、前記光射出端面に対向し、前記光射出端面の面積よりも大きい面積を有する光入射端面と、前記光射出端面と前記光入射端面とに接し、前記光入射端面から入射した光を反射する反射面と、を有し、
前記光拡散部の前記光入射端面から前記光射出端面までの高さが前記遮光層の層厚よりも大きくなっており、
強散乱方位φ０を中心軸として、方位φ０＋Δφにおける散乱強度と、方位φ０−Δφにおける散乱強度と、が概ね等しく、
前記複数の遮光層は、
前記中心軸に対して直交する長軸を有する複数の第１遮光層と、
前記第１遮光層とは異なるとともに、前記中心軸に対して＋αの角度をなす長軸を有する複数の第２遮光層と、
前記第１遮光層及び前記第２遮光層とは異なるとともに、前記中心軸に対して−βの角度をなす長軸を有する複数の第３遮光層と、
前記第１遮光層、前記第２遮光層及び前記第３遮光層とは異なるとともに、前記中心軸に対して−γの角度をなす長軸を有する複数の第４遮光層と、を含み、
前記αが、α＝（β＋γ）／２の関係を満たし、
前記第２遮光層の形状及び大きさと前記第３遮光層の形状及び大きさと前記第４遮光層の形状及び大きさとが概ね同じであり、
前記第２遮光層の数と、前記第３遮光層の数及び前記第４遮光層の数の合計と、が概ね同じである光拡散部材。
【請求項４】
前記α、前記β、前記γが、０°より大きく９０°より小さい角度をなす請求項３に記載の光拡散部材。
【請求項５】
前記第１遮光層、前記第２遮光層及び前記第３遮光層は互いに種類が異なる請求項１から請求項４のいずれか一項に記載の光拡散部材。
【請求項６】
前記遮光層は、前記中心軸に対して直交する長軸を有する請求項１から請求項５のいずれか一項に記載の光拡散部材。
【請求項７】
前記基材の一面の法線方向から見た前記遮光層の平面的な形状が、少なくとも長軸と短軸とを有する異方性形状である請求項１から請求項６のいずれか一項に記載の光拡散部材。
【請求項８】
前記基材の一面の法線方向から見た前記遮光層の平面的な形状が、２軸対称性を有する請求項７に記載の光拡散部材。
【請求項９】
前記基材の一面の法線方向から見た前記遮光層の平面的な形状が、楕円、長方形若しくは菱形である請求項８に記載の光拡散部材。
【請求項１０】
前記複数の遮光層は、
前記中心軸に対して直交する長軸を有し、且つ、前記遮光層の平面的な形状が二等辺三角形である複数の第１遮光層と、
前記中心軸に対して直交する長軸を有し、且つ、前記遮光層の平面的な形状が前記第１遮光層とは反対向きの二等辺三角形である複数の第２遮光層と、
を含み、
前記第１遮光層の数と前記第２遮光層の数とが概ね同じである請求項１から請求項５のいずれか一項に記載の光拡散部材。
【請求項１１】
前記複数の遮光層は、
前記遮光層の平面的な形状が円形である複数の第１遮光層と、
前記中心軸に対して＋αの角度をなす長軸を有する複数の第２遮光層と、
前記中心軸に対して−αの角度をなす長軸を有する複数の第３遮光層と、を含み、
前記第２遮光層の形状及び大きさと前記第３遮光層の形状及び大きさとが概ね同じであり、
前記第２遮光層の数と前記第３遮光層の数とが概ね同じである請求項１から請求項５のいずれか一項に記載の光拡散部材。
【請求項１２】
前記複数の遮光層が、前記基材の一面の法線方向から見て非周期的に配置されている請求項１から請求項１１のいずれか一項に記載の光拡散部材。
【請求項１３】
前記遮光層の形成領域には、前記光拡散部の形成領域によって区画された中空部が形成され、
前記中空部に空気が存在している請求項１から請求項１２のいずれか一項に記載の光拡散部材。
【請求項１４】
光透過性を有する基材と、前記基材の一面に形成された複数の光拡散部と、前記基材の一面のうち前記光拡散部の形成領域以外の領域に形成された遮光層と、を含み、
前記光拡散部が、前記基材に接する光射出端面と、前記光射出端面に対向し、前記光射出端面の面積よりも大きい面積を有する光入射端面と、前記光射出端面と前記光入射端面とに接し、前記光入射端面から入射した光を反射する反射面と、を有し、
前記光拡散部の前記光入射端面から前記光射出端面までの高さが前記遮光層の層厚よりも大きくなっており、
強散乱方位φ０を中心軸として、方位φ０＋Δφにおける散乱強度と、方位φ０−Δφにおける散乱強度と、が概ね等しく、
前記複数の光拡散部は、
前記中心軸に対して直交する長軸を有する複数の第１光拡散部と、
前記第１光拡散部とは異なるとともに、前記中心軸に対して＋αの角度をなす長軸を有する複数の第２光拡散部と、
前記第１光拡散部および前記第２光拡散部とは異なるとともに、前記中心軸に対して−αの角度をなす長軸を有する複数の第３光拡散部と、を含み、
前記第２光拡散部の形状及び大きさと前記第３光拡散部の形状及び大きさとが概ね同じであり、
前記第２光拡散部の数と前記第３光拡散部の数とが概ね同じである光拡散部材。
【請求項１５】
前記αが、０°より大きく９０°より小さい角度をなす請求項１４に記載の光拡散部材。
【請求項１６】
光透過性を有する基材と、前記基材の一面に形成された複数の光拡散部と、前記基材の一面のうち前記光拡散部の形成領域以外の領域に形成された遮光層と、を含み、
前記光拡散部が、前記基材に接する光射出端面と、前記光射出端面に対向し、前記光射出端面の面積よりも大きい面積を有する光入射端面と、前記光射出端面と前記光入射端面とに接し、前記光入射端面から入射した光を反射する反射面と、を有し、
前記光拡散部の前記光入射端面から前記光射出端面までの高さが前記遮光層の層厚よりも大きくなっており、
強散乱方位φ０を中心軸として、方位φ０＋Δφにおける散乱強度と、方位φ０−Δφにおける散乱強度と、が概ね等しく、
前記複数の光拡散部は、
前記中心軸に対して直交する長軸を有する複数の第１光拡散部と、
前記第１光拡散部とは異なるとともに、前記中心軸に対して＋αの角度をなす長軸を有する複数の第２光拡散部と、
前記第１光拡散部および前記第２光拡散部とは異なるとともに、前記中心軸に対して−βの角度をなす長軸を有する複数の第３光拡散部と、
前記第１光拡散部、前記第２光拡散部および前記第３光拡散部とは異なるとともに、前記中心軸に対して−γの角度をなす長軸を有する複数の第４光拡散部と、を含み、
前記αが、α＝（β＋γ）／２の関係を満たし、
前記第２光拡散部の形状及び大きさと前記第３光拡散部の形状及び大きさと前記第４光拡散部の形状及び大きさとが概ね同じであり、
前記第２光拡散部の数と、前記第３光拡散部の数及び前記第４光拡散部の数の合計と、が概ね同じである光拡散部材。
【請求項１７】
前記α、前記β、前記γが、０°より大きく９０°より小さい角度をなす請求項１６に記載の光拡散部材。
【請求項１８】
前記第１光拡散部、前記第２光拡散部及び前記第３光拡散部は互いに種類が異なる請求項１４から請求項１７のいずれか一項に記載の光拡散部材。
【請求項１９】
前記光拡散部は、前記中心軸に対して直交する長軸を有する請求項１４から請求項１８までのいずれか一項に記載の光拡散部材。
【請求項２０】
前記基材の一面の法線方向から見た前記光拡散部の平面的な形状が、少なくとも長軸と短軸とを有する異方性形状である請求項１４から請求項１９までのいずれか一項に記載の光拡散部材。
【請求項２１】
前記基材の一面の法線方向から見た前記光拡散部の平面的な形状が、２軸対称性を有する請求項２０に記載の光拡散部材。
【請求項２２】
前記基材の一面の法線方向から見た前記光拡散部の平面的な形状が、楕円、長方形若しくは菱形である請求項２１に記載の光拡散部材。
【請求項２３】
前記複数の光拡散部は、
前記中心軸に対して直交する長軸を有し、且つ、前記光拡散部の平面的な形状が二等辺三角形である複数の第１光拡散部と、
前記中心軸に対して直交する長軸を有し、且つ、前記光拡散部の平面的な形状が前記第１光拡散部とは反対向きの二等辺三角形である複数の第２光拡散部と、
を含み、
前記第１光拡散部の数と前記第２光拡散部の数とが概ね同じである請求項１４から請求項２１のいずれか一項に記載の光拡散部材。
【請求項２４】
前記複数の光拡散部は、
前記光拡散部の平面的な形状が円形である複数の第１光拡散部と、
前記中心軸に対して＋αの角度をなす長軸を有する複数の第２光拡散部と、
前記中心軸に対して−αの角度をなす長軸を有する複数の第３光拡散部と、を含み、
前記第２光拡散部の形状及び大きさと前記第３光拡散部の形状及び大きさとが概ね同じであり、
前記第２光拡散部の数と前記第３光拡散部の数とが概ね同じである請求項１３から請求項２１のいずれか一項に記載の光拡散部材。
【請求項２５】
表示体と、前記表示体の視認側に設けられ、前記表示体から入射される光の角度分布を入射前よりも広げた状態にして光を射出させる視野角拡大部材と、を含み、
前記視野角拡大部材が、請求項１から請求項２４までのいずれか一項に記載の光拡散部材で構成されており、
前記光拡散部材の強散乱方位φ０を中心軸として、前記表示体の輝度分布が略線対称であることを特徴とする表示装置。
【請求項２６】
前記表示体は、一対の基板と、前記一対の基板間に挟持された液晶層と、を含む液晶パネルである請求項２５に記載の表示装置。
【請求項２７】
前記液晶パネルの表示モードがツイステッドネマチックモード若しくはバーティカルアライメントモードである請求項２６に記載の表示装置。